(57)【特許請求の範囲】
【請求項１】
相対向する一対の表面側基板と裏面側基板を備え、前記裏面側基板の互いに対向する辺の一方の辺が前記表面側基板の互いに対向する辺の一方の辺から突出されるとともに、前記表面側基板の互いに対向する辺の他方の辺が前記裏面側基板の互いに対向する辺の他方の辺から突出され、前記一対の基板の各対向面に形成された電極が当該基板の突出部の同一の面に形成された接続端子に接続されてなる表示パネルと、この表示パネルの裏面側に配置され、前記一対の基板の各接続端子にそれぞれ接続された接続端子を有する前記一対の基板の前記突出される二辺とは直角方向の二辺と平行な二辺を持つ片面のフレキシブル配線基板と、を具備することを特徴とする表示装置。
【請求項２】
請求項１記載の発明において、前記フレキシブル配線基板は前記一対の基板と接続される２組の接続端子を備え、前記フレキシブル配線基板の一方の接続端子が設けられた先端部は折り曲げられて前記表示パネルの裏面側基板の接続端子が設けられた突出部に接合され、前記フレキシブル配線基板の他方の接続端子は前記表示パネルの表面側基板の接続端子が設けられた突出部に接合されるように設けられていることを特徴とする表示装置。
【請求項３】
請求項２記載の発明において、前記フレキシブル配線基板の先端部に沿う方向の幅は前記表示パネルの同方向の幅と同じかそれよりも小さくなっていることを特徴とする表示装置。
【請求項４】
請求項３記載の発明において、前記フレキシブル配線基板の他方の接続端子は他の部分から切り欠かれていることを特徴とする表示装置。
【請求項５】
請求項３記載の発明において、前記フレキシブル配線基板の他方の接続端子は他の部分から切り欠かれているとともに、この切り欠きに連続して前記フレキシブル配線基板の前記表示パネルの実質的な表示領域に対応する部分に開口部が設けられていることを特徴とする表示装置。
【発明の詳細な説明】
【０００１】
【発明の属する技術分野】
この発明は、表示パネル及びこの表示パネルに接続されたフレキシブル配線基板を備えた表示装置に関する。
【０００２】
【従来の技術】
例えば、液晶表示装置には、液晶表示パネルとこの液晶表示パネルにデータ信号等を供給する回路基板とをフレキシブル配線基板で接続したものがある。図３（Ａ）は従来のこのような液晶表示装置の一例の一部の平面図を示し、図３（Ｂ）はその右側面図を示したものである。この液晶表示装置における液晶表示パネル１は、表面側のセグメント基板２と裏面側のコモン基板３とがほぼ枠状のシール材４を介して貼り合わされ、シール材４の内側における両基板２、３間に液晶（図示せず）が封入されたものからなっている。この場合、セグメント基板２の下辺はコモン基板３の下辺から突出され、この下辺突出部２ａの裏面中央部には複数（図示の場合、１４個）のセグメント端子５が設けられ、その左側及び右側には複数ずつ（図示の場合、４個ずつ）のコモン端子６ａ、６ｂが設けられている。
【０００３】
セグメント基板２の裏面中央部には複数（図示の場合、１４本）のセグメント電極７が列方向に延びて設けられている。セグメント電極７の下端部はセグメント端子５に接続されている。コモン基板３の表面中央部には複数（図示の場合、８本）のコモン電極８ａ、８ｂが行方向に延びて設けられている。所定のコモン電極８ａの左端部は、コモン基板３の表面左側に設けられた引き回し線９ａ及びクロス材１０ａを介して左側のコモン端子６ａに接続されている。残りのコモン電極８ｂの右端部は、コモン基板３の表面右側に設けられた引き回し線９ｂ及びクロス材１０ｂを介して右側のコモン端子６ｂに接続されている。
【０００４】
液晶表示パネル１の下辺側にはフレキシブル配線基板１１が配置されている。フレキシブル配線基板１１は、左右方向の幅が液晶表示パネル１の左右方向の幅よりも小さいフィルム基板１２を備えている。フィルム基板１２の表面の上端部側の中央部には、液晶表示パネル１を駆動するためのＬＳＩ等からなる半導体チップ１３が搭載されている。フィルム基板１２の表面の下端部側の中央部には、液晶表示パネル１の駆動に必要なコンデンサや抵抗等からなるチップ部品１４が搭載されている。
【０００５】
フィルム基板１２の表面上端部の中央には、半導体チップ１３と液晶表示パネル１のセグメント端子５とを接続するための複数のセグメント用出力側配線１５が設けられ、その左側及び右側には、半導体チップ１３と液晶表示パネル１のコモン端子６ａ、６ｂとを接続するための複数ずつのコモン用出力側配線１６ａ、１６ｂが設けられている。フィルム基板１２の表面下端部の中央には、チップ部品１４を介してあるいはチップ部品１４を介さずに直接、半導体チップ１３と図示しない回路基板とを接続するための複数の入力側配線１７が設けられている。フィルム基板１２の入力側配線１７の下端部が設けられた部分は突出されてコネクタ部１８となっており、このコネクタ部１８の裏面には樹脂フィルムからなる補強板１９が接着剤（図示せず）を介して貼り付けられている。
【０００６】
そして、フレキシブル配線基板１１のセグメント用出力側配線１５及びコモン用出力側配線１６ａ、１６ｂは液晶表示パネル１のセグメント基板２の下辺突出部２ａに設けられたセグメント端子５及びコモン端子６ａ、６ｂに異方導電性接着剤（図示せず）を介して接続されている。一方、フレキシブル配線基板１１のコネクタ部１８は回路基板の雌型コネクタに挿入されて接続されている。
【０００７】
【発明が解決しようとする課題】
このように、従来の液晶表示装置では、液晶表示パネル１のセグメント基板２の下辺突出部２ａにセグメント端子５及びコモン端子６ａ、６ｂをまとめて設けるとともに、フレキシブル配線基板１１の上端部にセグメント用出力側配線１５及びコモン用出力側配線１６ａ、１６ｂをまとめて設けている関係から、コモン端子６ａ、６ｂとコモン電極８ａ、８ｂとをクロス材１０ａ、１０ｂを介して接続している。この場合、コモン端子６ａ、６ｂの配列ピッチは、セグメント端子５の配列ピッチに関係なく、クロス材１０ａ、１０ｂの配列ピッチに左右されることになる。しかしながら、セグメント端子５の配列ピッチを例えば２０〜４０μｍ程度とすることができるのに対し、印刷により形成されるクロス材１０ａ、１０ｂの配列ピッチは０．２４〜０．２５ｍｍ程度が限界である。この結果、液晶表示パネル１の左右方向の幅が定まっている場合、コモン端子６ａ、６ｂの配置位置が大きくなり、ひいてはセグメント端子５の配置位置つまりセグメント電極７の配置位置が小さくなり、実質的な表示領域が小さくなってしまうという問題があった。例えば、このような液晶表示パネル１を備えた携帯電話の場合には、携帯電話の幅が定まっていると、液晶表示パネル１の実質的な表示領域が小さくなってしまう。なお、液晶表示パネル１の左右方向の幅を大きくすると、その実質的な表示領域を大きくすることができるが、その反面、携帯電話の幅が大きくなってしまう。
この発明の課題は、表示パネルの所定の方向の幅が定まっていても、その実質的な表示領域を大きくすることである。
【０００８】
【課題を解決するための手段】
この発明は、相対向する一対の表面側基板と裏面側基板を備え、前記裏面側基板の互いに対向する辺の一方の辺が前記表面側基板の互いに対向する辺の一方の辺から突出されるとともに、前記表面側基板の互いに対向する辺の他方の辺が前記裏面側基板の互いに対向する辺の他方の辺から突出され、前記一対の基板の各対向面に形成された電極が当該基板の突出部の同一の面に形成された接続端子に接続されてなる表示パネルと、この表示パネルの裏面側に配置され、前記一対の基板の各接続端子にそれぞれ接続された接続端子を有する前記一対の基板の前記突出される二辺とは直角方向の二辺と平行な二辺を持つ片面のフレキシブル配線基板と、を具備したものである。
この発明によれば、一対の基板の互いに対向する辺の両側をそれぞれ突出させてこれらの突出部の互いに対向する側の面に接続端子を形成し、これらの接続端子にフレキシブル配線基板の各接続端子を接続しているため、つまり従来のようなクロス材を用いていないので、一対の基板の各接続端子の配列ピッチを同じとすることができ、この結果表示パネルの所定の方向の幅が定まっていても、その実質的な表示領域を大きくすることができる。
【０００９】
【発明の実施の形態】
図１（Ａ）はこの発明の一実施形態における液晶表示装置の要部の平面図を示し、図１（Ｂ）はその右側面図を示したものである。この液晶表示装置における液晶表示パネル２１は、表面側のセグメント基板２２と裏面側のコモン基板２３とがほぼ枠状のシール材２４を介して貼り合わされ、シール材２４の内側における両基板２２、２３間に液晶（図示せず）が封入されたものからなっている。この場合、セグメント基板２２の下辺はコモン基板２３の下辺から突出され、この下辺突出部２２ａの裏面中央部には複数（図示の場合、１６個）のセグメント端子（接続端子）２５が設けられている。また、コモン基板２３の上辺はセグメント基板２２の上辺から突出され、この上辺突出部２３ａの表面の左側及び右側には複数ずつ（図示の場合、４個ずつ）のコモン端子（接続端子）２６ａ、２６ｂが設けられている。
【００１０】
セグメント基板２２の裏面中央部には複数（図示の場合、１６本）のセグメント電極２７が列方向に延びて設けられている。セグメント電極２７の下端部はセグメント端子２５に接続されている。コモン基板２３の表面中央部には複数（図示の場合、８本）のコモン電極２８ａ、２８ｂが行方向に延びて設けられている。所定のコモン電極２８ａの左端部は、コモン基板２３の表面左側に設けられた引き回し線２９ａを介して左側のコモン端子２６ａに接続されている。残りのコモン電極２８ｂの右端部は、コモン基板２３の表面右側に設けられた引き回し線２９ｂを介して右側のコモン端子２６ｂに接続されている。
【００１１】
液晶表示パネル２１の裏面側にはフレキシブル配線基板３１が配置されている。フレキシブル配線基板３１は、左右方向の幅が液晶表示パネル２１の左右方向の幅よりも小さい（あるいは同じ）フィルム基板３２を備えている。この場合のフィルム基板３２の上下方向の長さは液晶表示パネル２１の上下方向の長さのほぼ２倍となっている。フィルム基板３２の表面の下端部側の中央部の上側には、液晶表示パネル２１を駆動するためのＬＳＩ等からなる半導体チップ３３が搭載されている。フィルム基板３２の表面の下端部側の中央部の下側には、液晶表示パネル２１の駆動に必要なコンデンサや抵抗等からなるチップ部品３４が搭載されている。
【００１２】
フィルム基板３２の表面の半導体チップ３３搭載位置の上側には、半導体チップ３３と液晶表示パネル２１のセグメント端子２５とを接続するための複数のセグメント用出力側配線（接続端子）３５が設けられている。これらのセグメント用出力側配線３５が設けられた部分は所定のほぼコ字状の切欠部３６により他の部分から切り欠かれている。また、フィルム基板３２の表面の半導体チップ３３搭載位置の左側及び右側には、半導体チップ３３と液晶表示パネル２１のコモン端子２６ａ、２６ｂとを接続するための複数ずつのコモン用出力側配線（接続端子）３７ａ、３７ｂが設けられている。これらのコモン用出力側配線３７ａ、３７ｂは、フィルム基板３２の表面の左側及び右側を通ってフィルム基板３２の表面上端部の左側及び右側まで延ばされている。フィルム基板３２の表面下端部の中央には、チップ部品３４を介してあるいはチップ部品３４を介さずに直接、半導体チップ３３と図示しない回路基板とを接続するための複数の入力側配線３８が設けられている。フィルム基板３２の入力側配線３８の下端部が設けられた部分は突出されてコネクタ部３９となっており、このコネクタ部３９の裏面には樹脂フィルムからなる補強板４０が接着剤（図示せず）を介して貼り付けられている。
【００１３】
そして、フレキシブル配線基板３１の切欠部３６により囲まれた部分の表面先端部は液晶表示パネル２１のセグメント基板２２の下辺突出部２２ａの裏面に異方導電性接着剤（図示せず）を介して接合され、これによりセグメント用出力側配線３５が液晶表示パネル２１のセグメント端子２５に接続されている。また、フレキシブル配線基板３１の上端部は所定の方向に折り曲げられ、当該上端部の表面（折り曲げられた状態では裏面）が液晶表示パネル２１のコモン基板２３の上辺突出部２３ａの表面に異方導電性接着剤（図示せず）を介して接合され、これによりコモン用出力側配線３７ａ、３７ｂが液晶表示パネル２１のコモン端子２６ａ、２６ｂに接続されている。一方、フレキシブル配線基板３１のコネクタ部３９は回路基板の雌型コネクタに挿入されて接続されている。
【００１４】
このように、この液晶表示装置では、フレキシブル配線基板３１のコモン用出力側配線３７ａ、３７ｂが設けられた上端部を折り曲げてコモン基板２３の上辺突出部２３ａの表面（コモン端子２６ａ、２６ｂが設けられた部分）に接合し、フレキシブル配線基板３１のセグメント用出力側配線３５が設けられた部分をセグメント基板２２の下辺突出部２２ａの裏面（セグメント端子２５が設けられた部分）に接合しているので、つまり従来のようなクロス材を用いていないので、コモン基板２３の上辺突出部２３ａの表面に設けられたコモン端子２６ａ、２６ｂの配列ピッチをセグメント基板２２の下辺突出部２２ａの裏面に設けられたセグメント端子２５の配列ピッチと同じとすることができる。この結果、液晶表示パネル２１の左右方向の幅が定まっていても、コモン端子２６ａ、２６ｂの配置位置を小さくすることができ、ひいてはセグメント電極２７の本数を多くすることができ、実質的な表示領域を大きくすることができる。例えば、図３（Ａ）に示す従来例の場合には、セグメント電極７の本数は１４本であるのに対し、図１（Ａ）に示す実施形態の場合には、セグメント電極７の本数は１６本であり、実質的な表示領域を大きくすることができる。そして、このような液晶表示パネル２１を備えた携帯電話の場合には、携帯電話の幅が定まっていても、液晶表示パネル２１の実質的な表示領域を大きくすることができる。
【００１５】
ところで、上記実施形態の場合には、フィルム基板３２によって液晶表示パネル２１の裏面のほとんどが覆われているので、フィルム基板３２の裏にバックライトを配置して、この液晶表示装置を透過型として使用するとき、フィルム基板３２が透明であっても、光利用率が低下することになる。一方、図１（Ａ）に示す液晶表示パネル２１の実質的な表示領域は、図２において一点鎖線で囲まれた領域４１となる。そこで、図２に示すこの発明の他の実施形態のように、フィルム基板３２に表示領域４１よりもやや大きめの開口部４２を切欠部３６に連続させて形成すると、フィルム基板３２の裏にバックライトを配置して透過型として使用するとき、光利用率が低下しないようにすることができる。また、例えば図１（Ａ）に示す状態の上下を逆にしてもよいことはもちろんである。
【００１６】
【発明の効果】
以上説明したように、この発明によれば、一対の基板の互いに対向する辺の両側をそれぞれ突出させてこれらの突出部の互いに対向する側の面に接続端子を形成し、これらの接続端子にフレキシブル配線基板の各接続端子を接続しているので、つまり従来のようなクロス材を用いていないので、一対の基板の各接続端子の配列ピッチを同じとすることができ、この結果表示パネルの所定の方向の幅が定まっていても、その実質的な表示領域を大きくすることができる。
【図面の簡単な説明】
【図１】（Ａ）はこの発明の一実施形態における液晶表示装置の要部の平面図、（Ｂ）はその右側面図。
【図２】この発明の他の実施形態における液晶表示装置の要部の平面図。
【図３】（Ａ）は従来の液晶表示装置の一例の一部の平面図、（Ｂ）はその右側面図。
【符号の説明】
２１  液晶表示パネル
２２  セグメント基板
２３  コモン基板
２５  セグメント端子
２６ａ、２６ｂ  コモン端子
２７  セグメント電極
２８ａ、２８ｂ  コモン電極
３１  フレキシブル配線基板
３２  フィルム基板
３５  セグメント用出力側配線
３６  切欠部
３７ａ、３７ｂ  コモン用出力側配線
【図１】
0003890782.tif 000002
【図２】
0003890782.tif 000003
【図３】
0003890782.tif 000004